【手続補正書】
【提出日】平成17年8月12日(2005.8.12)
【手続補正１】
【補正対象書類名】明細書
【補正対象項目名】特許請求の範囲
【補正方法】変更
【補正の内容】
【特許請求の範囲】
【請求項１】  モノクロおよび／またはカラー印刷された個別枚葉紙（１４，１５）からなる所定の枚葉紙シーケンスを、印刷機またはコピー機システムで作製するための方法において、
ａ）記録担体（１４）の第１の列の片面または両面を、自立型構成ユニットとして構成され、所属の紙搬送チャネル（１２）を備え、個別制御可能なモノクロまたはハイライトカラー印刷機構（１０）で、第１の速度によりモノクロまたは２色印刷し、
ｂ）記録担体の第２の列の片面または両面を、自立型構成ユニットとして構成され、所属の紙搬送チャネル（１３）を備え、個別制御可能なカラー印刷機構（１１）で、前記第１の速度よりも低い第２の速度によりフルカラー印刷し、
ｃ）記録担体（１４，１５）の第１および／または第２の列を、モノクロまたはハイライトカラー印刷機構（１０）とカラー印刷機構（１１）の紙搬送チャネル（１２，１３）と接続された紙経路結合モジュール（１６）により収容し、
ｄ）記録担体（１４，１５）の第１および第２の列から、記録担体（１４，１５）の枚葉紙シーケンスを作製し、共通の枚葉紙収集装置（１８）および／または後処理装置（２３，２９）に所定の順序で供給し、
ｅ）到来する印刷データをモノクロ印刷ジョブデータとカラー印刷ジョブデータとに同期制御装置（２７，２８，２４／１，２４／２，２４／３，２５／１，２５／２）により分離し、
それぞれの印刷ジョブデータを相応する印刷機構（１０，１１）に伝送する、
ことを特徴とする方法。
【請求項２】  枚葉紙シーケンスにおける記録担体（１４，１５）の順序を印刷データ流によって設定し、
該印刷データ流は一方ではモノクロデータおよび／またはハイライトカラーデータを、他方ではカラーデータを含んでおり、
モノクロデータまたはハイライトカラーデータをモノクロまたはハイライトカラー印刷機構（１０）に、カラーデータをカラー印刷機構（１１）に供給し、
枚葉紙シーケンスを印刷データ流に相応して電子制御部（２７，２４／１，２４／２，２５／１，２５／２）により作製する、請求項１記載の方法。
【請求項３】  印刷機構（１０，１１）および紙経路結合モジュール（１６）を、同期制御装置（２７，２８，２４／１，２４／２，２４／３，２５／１，２５／２）により、印刷機構（１０，１１）の印刷速度と枚葉紙シーケンスの順序を考慮して時間編成して次のように制御する、すなわち枚葉紙シーケンスの作製が速度に最適化され、印刷機構（１０，１１）がほぼ並列駆動されるように制御する、請求項１または２記載の方法。
【請求項４】  記録担体（１５）をカラー印刷機構（１１）で前もって印刷し、次に中間保存所（１６、２０）に保管し、モノクロまたはハイライトカラー印刷機構（１０）の記録担体（１４）の列へ時間どおりに供給する、請求項１から３までにずれか１項記載の方法。
【請求項５】  モノクロおよび／またはカラー印刷された個別枚葉紙（１４，１５）からなる所定の枚葉紙シーケンスを作製するための印刷またはコピー機システムにおいて、
ａ）自立型構成ユニットとして構成され、所属の紙搬送チャネル（１２）を備え、個別制御可能なモノクロまたはハイライトカラー印刷機構（１０）が、第１の記録担体（１４）の片面または両面を第１の速度によりモノクロまたはハイライトカラー印刷するために設けられており、
ｂ）自立型構成ユニットとして構成され、所属の紙搬送チャネル（１３）を備え、個別制御可能なカラー印刷機構（１１）が、第２の記録担体（１５）の片面または両面を前記第１の速度よりも低い第２の速度によりフルカラー印刷するために設けられており、
ｃ）モノクロまたはハイライトカラー印刷機構（１１）とカラー印刷機構（１２）の紙搬送チャネル（１２，１３）と接続可能な紙経路結合モジュール（１６）が設けられており、
該紙経路結合モジュールは、印刷された第１および／または第２の記録担体（１４，１５）を収容し、共通の枚葉紙収集装置（１８）および／または枚葉紙シーケンスに対する後処理装置に供給し、
ｃ）さらにモノクロまたはハイライトカラー印刷機構（１０）とカラー印刷機構（１１）とに接続された同期制御装置（２７，２８，２４／１，２４／２，２４／３，２５／１，２５／２）が設けられており、
該同期制御装置により、当該する印刷データがモノクロ印刷ジョブデータとカラー印刷ジョブデータとに分離され、それぞれの印刷ジョブデータは相応する印刷機構（１０，１１）に伝送される、
ことを特徴とする印刷機またはコピー機システム。
【請求項６】  モノクロまたはハイライトカラー印刷機構（１０）は個別枚葉紙印刷機構であり、記録担体（１５）の列はカラー印刷機構（１１）からモノクロまたはハイライトカラー印刷機構（１０）の出力領域（４９）へ供給される、請求項５記載の印刷機またはコピー機システム。
【請求項７】  枚葉紙シーケンスは出力領域（４９）から選択的に、機器出力部（４８）または機器内部のステープル装置（１８）に供給される、請求項６記載の印刷機またはコピー機システム。
【請求項８】  同期制御装置（２７，２８，２４／１，２４／２，２４／３，２５／１，２５／２）は、印刷機構（１０，１１）および／または紙経路結合モジュール（１６）を、印刷機構（１０，１１）の印刷速度と枚葉紙シーケンスの順序を考慮して次のように制御する、すなわち枚葉紙シーケンスの作製が、速度に最適化され、印刷機構（１０，１１）がほぼ並列駆動で使用されるように制御する、請求項５から７までのいずれか１項記載の印刷機またはコピー機システム。
【請求項９】  同期制御装置（２７，２８，２４／１，２４／２，２４／３，２５／１，２５／２）は、紙経路結合モジュール（１６）および／または印刷データ源（２７，ホスト）と接続されている、請求項５から８までのいずれか１項記載の印刷機またはコピー機システム。
【請求項１０】  記録担体（１５）の列は、カラー印刷機構（１１）からモノクロまたはハイライトカラー印刷機構（１０）の入力領域（４９）に供給される、請求項５から９までのいずれか１項記載の印刷機またはコピー機システム。
【請求項１１】  モノクロまたはハイライトカラー印刷機構（１０）には少なくとも１つの転写ステーション（Ｄ１，Ｄ２）と、所属の転写搬送経路（４５，４１）と、特別紙経路（４２）とが設けられており、
該特別紙経路を介して、枚葉紙は転写ステーション（Ｄ１，Ｄ２）および／またはモノクロまたはハイライトカラー印刷機構（１０）の転写搬送経路（３５，４１）を迂回して直接、入力領域（３０）から出力領域（４９）へ搬送可能である、請求項１０記載の印刷機またはコピー機システム。
【請求項１２】  同期制御部（２７，２８，２４／１，２４／２，２４／３，２５／１，２５／２）は、モノクロまたはハイライトカラー印刷機構（１０）の機器制御部（２４／１，２５／１）とカラー印刷機構（１１）の機器制御部（２５／２）を有し、
これら機器制御部は、マスタ・スレーブ方式に従って枚葉紙シーケンスを制御するために相互に結合されている、請求項５から１１までのいずれか１項記載の印刷機またはコピー機システム。
【請求項１３】  モノクロまたはハイライトカラー印刷機構（１０）の機器制御部（２５／１）はマスタである、請求項１２記載の印刷またはコピーシステム。
【請求項１４】  モノクロまたはハイライトカラー印刷機構（１０）および／またはカラー印刷機構（１１）の紙搬送チャネル（１２，１３）に配属され、制御可能であるバッファ保管所（２０）が相応の記録担体（１４，１５）に対して設けられている、請求項５から１３までのいずれか１項記載の印刷機またはコピー機システム。
【請求項１５】  バッファ保管所（２０）は紙経路結合モジュール（１６）の紙搬送チャネル（１７）に配置されている、請求項１４記載の印刷機またはコピー機システム。
【請求項１６】  同期制御装置（２７，２８，２４／１，２４／２，２４／３，２５／１，２５／２）は以下の構成を有する；
２つの印刷機構（１０，１１）はデータコントローラ（２４／１，２４／２）を有し、当該２つの印刷機構（１０，１１）はマスタ・スレーブ結合されるように相互に接続されており、
ジョブ分離器（２８）が設けられており、
該ジョブ分離器は一方では外部データ源から到来する印刷データをモノクロ印刷ジョブデータとカラー印刷ジョブデータとに分離し、
当該印刷ジョブデータでは順序管理のために、各印刷ページが具体的アドレスまたは識別子を有し、それぞれの印刷ジョブデータが相応する印刷機構（１０，１１）に伝送され、
前記ジョブ分離器は他方では個別枚葉紙の順序に配属されたシーケンスデータを形成し、当該シーケンスデータをマスタ機能を備えた印刷機構（１０）に伝送し、
枚葉紙シーケンスを作製するために、マスタ機能を備えた印刷機構（１０）は別の印刷機構（１１）および／または紙経路結合モジュール（１６）を制御する、請求項５から１５までのいずれか１項記載の印刷機またはコピー機システム。
【請求項１７】  同期制御装置（２７，２８，２４／１，２４／２，２４／３，２５／１，２５／２）は以下の構成を有する；
２つの印刷機構（１０，１１）の一方が、２つの印刷機構に対する共通のデータコントローラ（２４／３）を有し、
データコントローラ（２４／３）にはジョブ分離器（２８）が配属されており、
該ジョブ分離器は一方では外部データ源の到来する印刷データをモノクロ印刷ジョブデータとカラー印刷ジョブデータとに分離し、
当該印刷ジョブデータでは順序管理のために、各印刷ページが具体的アドレスまたは識別子を有し、
前記ジョブ分離器は他方では個別枚葉紙の順序に配属されたシーケンスデータを形成し、
枚葉紙シーケンスを作製するために、データコントローラを備えた印刷機構（１０）は他方の印刷機構（１０）および／または紙経路結合モジュール（１６）を制御する、請求項５から１６までのいずれか１項記載の印刷機またはコピー機システム。
【請求項１８】  ２つの印刷機構（１０，１１）の一方は、前もって印刷された個別枚葉紙を収容および出力するための挿入装置として構成されている、請求項５から１７までのいずれか１項記載の印刷機またはコピー機システム。
【請求項１９】  紙経路結合モジュール（１６）は、印刷された記録担体（１４，１５）をそれぞれ他方の印刷機構の紙搬送チャネル（１２，１３）に、当該印刷された記録担体が、収容する印刷機構により付加的に印刷されるように供給する、請求項５から１７までのいずれか１項記載の印刷機またはコピー機システム。
【請求項２０】  印刷機構（１０，１１）は自立型に駆動可能な電子写真印刷装置として構成されている、請求項５から１９までのいずれか１項記載の印刷機またはコピー機システム。
【請求項２１】  モノクロおよび／またはカラー印刷された個別枚葉紙（１４，１５）からなる所定の枚葉紙シーケンスを、パフォーマンスに適合して作製するための印刷またはコピー機システムにおいて、
ａ）自立型構成ユニットとして構成され、個別に制御可能であり、所属の紙搬送チャネル（１２）を備えたモノクロ印刷機構（１０）を有し、
該モノクロ印刷機構は、第１の記録担体（１４）の片面または両面をモノクロでだけ印刷するためのものであり、第１の印刷速度を有しており、
ｂ）自立型構成ユニットとして構成され、個別に制御可能であり、所属の紙搬送チャネル（１３）を備えたカラー印刷機構（１１）を有し、
該カラー印刷機構は、第２の記録担体（１５）の片面または両面をカラー印刷するためのものであり、前記第１の印刷速度に対して低い最大印刷速度を有しており、
ｃ）モノクロ印刷機構（１０）およびカラー印刷機構（１１）の紙搬送チャネル（１２，１３）と接続可能な紙経路結合モジュール（１６）を有し、
該紙経路結合モジュールは、印刷された第１および／または第２の記録担体（１４，１５）を収容し、共通の枚葉紙収集装置（１８）および／または枚葉紙シーケンスに対する後処理装置（２３）に供給し、
ｄ）印刷機構の印刷速度と枚葉紙シーケンスの順序を考慮して、印刷機構（１０，１１）および紙経路結合モジュール（１６）を時間編成して制御する同期制御装置（２８，２４／３）を有し、
これにより枚葉紙シーケンスの作製速度を最適化し、印刷機構（１０，１１）の並列動作をできるだけ使用するようにして行い、
ｄ１）同期制御装置（２８，２４／３）はジョブ分離器を含んでおり、
該ジョブ分離器は、外部のデータ源から到来する印刷データをモノクロ印刷ジョブデータとカラー印刷データとに分離し、モノクロ印刷ジョブデータをモノクロ印刷機構に、カラー印刷ジョブデータをカラー印刷機構（１１）に伝送する、
ことを特徴とする印刷機またはコピー機システム。
【請求項２２】  制御可能で、モノクロ印刷機構（１０）および／またはカラー印刷機構（１１）の紙搬送チャネル（１２，１３）に機能的に配属されたバッファ保管所（２０）が相応の記録担体に対して設けられている、請求項２１記載の印刷機またはコピー機システム。
【請求項２３】  バッファ保管所（２０）は紙経路結合モジュール（１６）の紙搬送チャネル（１７）に配置されている、請求項２２記載の印刷機またはコピー機システム。
【請求項２４】  同期制御装置を有し、
２つの印刷機構（１０，１１）はデータコントローラ（２４／１，２４／２）を有し、
印刷機構（１０，１１）はマスタ・スレーブ結合で相互に接続されており、
ジョブ分離器（２８）は、一方で印刷ジョブデータを形成し、他方で個別枚葉紙のシーケンスに配属されたシーケンスデータを形成し、
前記印刷ジョブデータでは、シーケンス管理のために各印刷ページが具体的なアドレスまたは特徴を有しており、
前記シーケンスデータをジョブ分離器はマスタ機能を有する印刷機構（１０）に伝送し、
枚葉紙シーケンスを作製するために、マスタ機能を有する印刷機構（１０）は他方の印刷機構（１１）および／または紙経路結合モジュール（１６）を制御する、請求項２１から２３までのいずれか１項記載の印刷機またはコピー機システム。
【請求項２５】  同期制御装置を有し、
印刷機構（１０，１１）の一方は２つの印刷機構に対して共通のデータコントローラ（２４／３）を有し、
該データコントローラ（２４／３）にはジョブ分離器（２８）が配属されており、
該ジョブ分離器は、一方で外部のデータ源から到来する印刷データをモノクロ印刷ジョブデータとカラー印刷データとに分離し、他方で個別枚葉紙のシーケンスに配属されたシーケンスデータを形成し、
前記モノクロ印刷ジョブデータとカラー印刷データでは、シーケンス管理のために各印刷ページが具体的なアドレスまたは特徴を有しており、
枚葉紙シーケンスを作製するために、データコントローラを備えた印刷機構（１０）は他方の印刷機構および／または紙経路結合モジュール（１６）を制御する、請求項２１から２３までのいずれか１項記載の印刷機またはコピー機システム。
【請求項２６】  共通の枚葉紙収集装置（１８）は２つの印刷機構の一方に配属されている、請求項２１から２５までのいずれか１項記載の印刷機またはコピー機システム。
【請求項２７】  モノクロ印刷機構および／またはカラー印刷機構（１０，１１）は、ベルト状の印刷担体を印刷するためにエンドレス印刷機構として構成されており、エンドレス印刷機構の一方に配属された枚葉紙切断装置（２３）を有している、請求項２１から２６までのいずれか１項記載の印刷機またはコピー機システム。
【請求項２８】  ２つの印刷機構の一方は、前もって印刷された個別枚葉紙を収容および出力するための挿入装置として構成されている、請求項２１から２７までのいずれか１項記載の印刷機またはコピー機システム。
【請求項２９】  ２つの印刷機構（１０，１１）の少なくとも一方には、前もって印刷された個別枚葉紙を収容および出力するための挿入装置が配属されている、請求項２１から２７までのいずれか１項記載の印刷機またはコピー機システム。
【請求項３０】  紙経路結合モジュール（１６）を有し、
該紙経路結合モジュールは、カラー印刷機構（１１）またはモノクロ印刷機構（１０）により印刷された記録担体を受け取り、それぞれ他方の印刷機構（１０，１１）の紙搬送チャネル（１２，１３）に供給し、
枚葉紙収集装置（１８）が、印刷された記録担体を収容する印刷機構に配置されている、請求項２１から２９までのいずれか１項記載の印刷機またはコピー機システム。
【請求項３１】  紙経路結合モジュール（１６）は印刷された記録担体をそれぞれ他方の印刷機構の紙搬送チャネル（１２，１３）に、当該記録担体が収容する印刷機構により付加的に印刷されるよう供給する、請求項３０記載の印刷機またはコピー機システム、
【請求項３２】  紙経路結合モジュール（１６）は切換可能な紙切換器（２１）を有しており、第１の切替位置では記録担体が枚葉紙収集装置（１８）に直接供給され、第２の切替位置では記録担体はまず新たに印刷され、次に枚葉紙収集装置（１８）に積載される、請求項３１記載の印刷機またはコピー機システム。
【請求項３３】  印刷機構（１０，１１）は自立的に駆動可能な電子グラフィック印刷機として構成されている、請求項３１〜３２までのいずれか１項記載の印刷機またはコピー機システム。
【請求項３４】  紙経路結合モジュール（１６）は印刷機構の一部として構成されている、請求項２１から３３までのいずれか１項記載の印刷機またはコピー機システム。
【請求項３５】  モノクロおよび／またはカラー印刷された個別枚葉紙（１４，１５）からなる所定の枚葉紙シーケンスをパフォーマンスに適合して作製するための方法において、
ａ）自立型構成ユニットして構成され、個別に制御可能であり、所属の紙搬送チャネル（１２）を備えたモノクロ印刷機構（１０）により、第１の記録担体（１４）の片面または両面を第１の最大印刷速度でモノクロ印刷し、
ｂ）自立型構成ユニットして構成され、個別に制御可能であり、所属の紙搬送チャネル（１３）を備えたカラー印刷機構（１１）により、第２の記録担体（１５）の片面または両面を、前記第１の印刷速度に対して低い第２の最大印刷速度でカラー印刷し、
ｃ）印刷された第１および／または第２の記録担体（１４，１５）を、モノクロ印刷機構（１０）およびカラー印刷機構（１１）の紙搬送チャネル（１２，１３）と結合された紙経路結合モジュール（１６）により収容し、共通の枚葉紙収集装置（１８）および／または枚葉紙シーケンスに対する後処理装置（２３）に供給し、
ｄ）印刷機構の印刷速度と枚葉紙シーケンスの順序を考慮して、印刷機構（１０，１１）および紙経路結合モジュール（１６）を同期制御装置（２８，２４／３）により、枚葉紙シーケンスの作製速度が最適化され、印刷機構（１０，１１）ができるだけ並列駆動するように時間編成し制御し、
ｄ１）同期制御装置（２８，２４／３）はジョブ分離器（２８）を有しており、
該ジョブ分離器により、外部のデータ源から到来する印刷データをモノクロ印刷ジョブデータとカラー印刷ジョブデータとに分離し、次にモノクロ印刷ジョブデータをモノクロ印刷機構（１０）に、カラー印刷ジョブデータをカラー印刷機構（１１）に伝送する、
ことを特徴とするパフォーマンスに適合して枚葉紙シーケンスを作製する方法。
【請求項３６】  記録担体（１２，１３）を、モノクロ印刷機構（１０）および／またはカラー印刷機構（１１）の紙搬送チャネル（１２，１３）に配属されたバッファ保管所（２０）に中間保管する、請求項３５記載の方法。
【請求項３７】  ジョブ分離器（２８）により、外部のデータ源から到来する印刷データをモノクロ印刷ジョブデータとカラー印刷ジョブデータとに分離し、次にそれぞれの印刷ジョブデータを相応の印刷機構（１０，１１）に伝送する、請求項３５または３６記載の方法。
【請求項３８】  ２つの印刷機構（１０，１１）はマスタ・スレーブ結合で相互に接続されており、
個別枚葉紙のシーケンスに配属されたシーケンスデータを形成し、当該シーケンスデータをマスタ機能を有する印刷機構（１０）に伝送する、請求項３７記載の方法。
【請求項３９】  枚葉紙シーケンスを作製するために、マスタ機能を有する印刷機構（１０）が他方の印刷機構（１１）および／または紙経路結合モジュール（１６）を制御する、請求項３８記載の方法。
【請求項４０】  印刷機またはコピー機システムで印刷された枚葉紙を含む個別枚葉紙からなる所定の枚葉紙シーケンスを作製する方法において、
記録媒体のシーケンスを、第１の紙搬送チャネルを備える印刷機またはコピー機ユニットで印刷し、
枚葉紙供給部を第２の紙搬送チャネルと関連して設け、
記録媒体を前記印刷機またはコピー機ユニットから、枚葉紙を前記供給部から、前記第１と第２の紙搬送チャネルと接続された紙経路結合モジュールに搬送し、
記録媒体と枚葉紙を混合し、記録媒体と枚葉紙の所定のシーケンスを作製する、
ことを特徴とする方法。
【請求項４１】  前記枚葉紙供給部には、供給コンパートメントからの枚葉紙が存在する、請求項４０記載の方法。
【請求項４２】  前記枚葉紙供給部には、別の印刷機ユニットからの印刷された枚葉紙が存在する、請求項４０記載の方法。
【請求項４３】  前記第１の紙搬送チャネルは記録媒体を、少なくとも１つの印刷ステーションに印刷のために搬送し、
前記第２の紙搬送チャネルは、枚葉紙を搬送する際には前記少なくとも１つの印刷ステーションをバイパスする、請求項４０記載の方法。
【請求項４４】  前記少なくとも１つの印刷ステーションは高速モノクロ印刷ステーションまたは高速ハイライトカラー印刷ステーションである、請求項４３記載の方法。
【請求項４５】  前記第２の紙搬送チャネルに搬送するために枚葉紙を、前記枚葉紙供給部の入力側で受け取る、請求項４０記載の方法。
【請求項４６】  前記第２紙搬送チャネルに搬送するために枚葉紙を出力ステーションで受け取る、請求項４０記載の方法。
【請求項４７】  前記第１と第２の搬送チャネルは、少なくとも１つのリング状搬送経路を形成し、前記第１の紙搬送チャネルは前記印刷機ユニットの印刷ステーションを含む、請求項４０記載の方法。
【請求項４８】  前記印刷機またはコピー機ユニットでの印刷は、記録媒体の片面または両面をモノクロ印刷ユニットでモノクロに、またはハイライト印刷ユニットで２色に印刷することを含む、請求項４０記載の方法。